(57)【要約】【課題】ＳＩＭの有効期限の失効を抑制する通知装置、通知システム、端末装置、プログラム、および通知方法を提供すること。【解決手段】実施形態に係る通知装置は、生成部と、通知部とを備える。生成部は、通信契約の有効期限が失効するまでの有効期間が所定期間よりも短くなった場合に、有効期限に関する通知信号を生成する。通知部は、生成部によって生成された通知信号をユーザの端末装置に送信する。【選択図】図１
2020170950.tif 000002
【特許請求の範囲】
【請求項１】
通信契約の有効期限が失効するまでの有効期間が所定期間よりも短くなった場合に、有効期限に関する通知信号を生成する生成部と、
前記生成部によって生成された通知信号をユーザの端末装置に送信する通知部と
を備えることを特徴とする通知装置。
【請求項２】
前記通知部は、有効期限が更新されない場合には、所定のタイミングで前記通知信号を前記端末装置に送信する
ことを特徴とする請求項１に記載の通知装置。
【請求項３】
請求項１または２に記載の通知装置と、
前記端末装置と、
を備え、
前記端末装置は、前記通知信号に基づいて有効期限に関する画像を表示する表示部
を備えることを特徴とする通知システム。
【請求項４】
前記端末装置は、前記表示部に表示された画像に対するユーザの操作に基づいて有効期限を更新させる更新指示信号を生成する更新指示信号生成部
を備えることを特徴とする請求項３に記載の通知システム。
【請求項５】
前記更新指示信号生成部によって生成された更新指示信号に基づいて有効期限を更新する管理装置
を備えることを特徴とする請求項４に記載の通知システム。
【請求項６】
通信契約の有効期限が失効するまでの有効期間が所定期間よりも短くなった場合に送信される通知信号に基づいて有効期限に関する画像を表示する表示部と、
前記表示部に表示された画像に対するユーザの操作に基づいて、有効期限を更新させる更新指示信号を生成する更新指示信号生成部と
を備えることを特徴とする端末装置。
【請求項７】
通信契約の有効期限が失効するまでの有効期間が所定期間よりも短くなった場合に送信される通知信号に基づいて有効期限の更新画像を表示する表示手順と、
前記表示手順によって表示された更新画像に対するユーザの操作に基づいて、有効期限を更新させる更新指示信号を生成する生成手順と
をコンピュータに実行させることを特徴とするプログラム。
【請求項８】
通信契約の有効期限が失効するまでの有効期間が所定期間よりも短くなった場合に、有効期限に関する通知信号を生成する生成工程と、
前記生成工程によって生成された通知信号をユーザの端末装置に送信する通知工程と
を含むことを特徴とする通知方法。
【発明の詳細な説明】
【技術分野】
【０００１】
本発明は、通知装置、通知システム、端末装置、プログラム、および通知方法に関する。
【背景技術】
【０００２】
従来、インターネットなどによって通信を行う場合に、公開鍵証明書を認証処理に用いる装置が知られている（例えば、特許文献１参照）。公開鍵証明書には、有効期限が設定されており、有効期限は更新することができる。
【先行技術文献】
【特許文献】
【０００３】
【特許文献１】特開２００６−６０７７９号公報
【発明の概要】
【発明が解決しようとする課題】
【０００４】
ところで、テレマティックスサービスシステムである緊急通報システムを用い、車両事故や、車両故障などが発生した場合に、緊急通報センターに通信可能とする技術が知られている。
【０００５】
このような緊急通報システムでは、携帯電話網を用いて緊急通報センターとの通話が可能となる。緊急通報システムの通報装置には、ＳＩＭ（Subscriber  Identity  Module）カードが挿入されている。ＳＩＭには、固有の識別番号が付与されており、固有の識別番号と電話番号とを結びつけることで通話が可能となる。
【０００６】
しかしながら、ＳＩＭには、上記装置と同様に有効期限（該当識別番号に対応する通信契約の有効期限）が設けられており、ＳＩＭの有効期限が失効した場合には、ユーザは、緊急センターからの電話を受けられなくなるおそれがある。
【０００７】
本発明は、上記に鑑みてなされたものであって、ＳＩＭの有効期限の失効を抑制する通知装置、通知システム、端末装置、プログラム、および通知方法を提供することを目的とする。
【課題を解決するための手段】
【０００８】
実施形態の一態様に係る通知装置は、生成部と、通知部とを備える。生成部は、通信契約の有効期限が失効するまでの有効期間が所定期間よりも短くなった場合に、有効期間に関する通知信号を生成する。通知部は、生成部によって生成された通知信号をユーザの端末装置に送信する。
【発明の効果】
【０００９】
実施形態の一態様によれば、ＳＩＭの有効期限の失効を抑制することができる。
【図面の簡単な説明】
【００１０】
【図１】図１は、実施形態に係る通知方法の概要を説明する図である。
【図２】図２は、実施形態に係る通知システムの概略構成を示す図である。
【図３】図３は、実施形態に係る通知装置の概略構成を示す図である。
【図４】図４は、実施形態に係る端末装置の概略構成を示す図である。
【図５】図５は、有効期限画像、およびＳＩＭ更新選択画像が表示された表示部の一例を示す図である。
【図６】図６は、実施形態に係る管理装置の概略構成を示す図である。
【図７】図７は、実施形態に係る有効期限更新処理を説明するフローチャートである。
【発明を実施するための形態】
【００１１】
以下、添付図面を参照して、実施形態に係る通知装置、通知システム、端末装置、プログラム、および通知方法について詳細に説明する。なお、本実施形態によりこの発明が限定されるものではない。
【００１２】
ここでは、車両に搭載された通知装置、例えば、ＤＣＭ（Data  Communication  Module）について説明するが、これに限られることはない。通知装置は、緊急時、例えば、車両故障や、車両事故が発生した場合に、緊急通報センターと通話可能となる。具体的には、通知装置は、エアバッグが作動した場合や、車両Ｃの搭乗者が緊急ボタンを押した場合に、緊急通報センターに接続され、搭乗者は緊急通報センターのオペレータと通話することができる。
【００１３】
通知装置には、ＳＩＭ（ＳＩＭカード）が設けられており、ＳＩＭには固有の識別番号が設定されている。この識別番号と、車両情報や、電話番号や、ユーザの氏名などのユーザ情報と、ＳＩＭの有効期限（通信契約の有効期限）とが紐付けられている。また、ＳＩＭは固有の識別番号以外に連絡先などの情報も記憶できるため、有効期限の情報をＳＩＭに直接書き込むことも可能である。これにより、ＳＩＭを搭載した端末は通信可能な有効期間を記憶することができる。具体的には、ＳＩＭには、固有の識別番号と、ユーザ情報とが紐付けられて記憶されている。
【００１４】
ＳＩＭの有効期限が有効である場合、すなわち、ＳＩＭの有効期限が切れていない場合に、緊急通報センターに通信が行われると、緊急通報センターでは、ＳＩＭに記憶されたユーザ情報が表示される。これにより、緊急通報センターのオペレータは、表示されたユーザ情報などに基づいて、車両Ｃの搭乗者との会話を行うことができる。
【００１５】
これに対し、ＳＩＭの有効期限が失効している場合、すなわち、ＳＩＭの有効期限が切れている場合には、通知装置から緊急通報センターへの通信は可能であるが、緊急通報センターではユーザ情報が表示されない。そのため、例えば、一端、通話が切れた後は、オペレータは、通知装置を介してユーザへ連絡を取ることができない。なお、ＳＩＭの有効期限は、更新可能、すなわち延長可能となっている。
【００１６】
実施形態に係る通知方法について図１を参照し説明する。実施形態に係る通知方法は、通知装置２によって実行される。図１は、実施形態に係る通知方法の概要を説明する図である。
【００１７】
通知装置２は、ＳＩＭ１１の有効期限が失効するまでの日数（以下、「有効期間」と称する。）が予め設定された所定期間よりも短くなった場合に、有効期限に関する通知信号を生成する（Ｓ１）。通知信号は、ＳＩＭ１１の有効期限を更新するか否かを問い合わせる情報を端末装置３に通知する信号である。換言すると、通知信号は、ＳＩＭ１１の有効期限を更新するか否かを問い合わせる情報をユーザに報知する信号である。
【００１８】
通知装置２は、生成した通知信号を端末装置３に送信する（Ｓ２）。具体的には、通知装置２は、通信ネットワークＮ（図２参照）を介して通知信号をユーザの端末装置３に送信する。これにより、ＳＩＭ１１の有効期限に関する情報が端末装置３に通知される。
【００１９】
通知信号が送信された端末装置３では、ＳＩＭ１１の有効期限に関する情報が表示される（Ｓ３）。例えば、端末装置３は、インストールされたアプリケーションを起動させることで、ＳＩＭ１１の有効期限に関する画像を表示させる。
【００２０】
なお、通知装置２は、電子メールによって、通知信号を端末装置３に送信し、ＳＩＭ１１の有効期限に関する情報を端末装置３に通知してもよい。
【００２１】
これにより、ユーザは、ＳＩＭの有効期限を知ることができ、ＳＩＭ１１の有効期限が失効する前に、ＳＩＭ１１の有効期限を更新することができる。すなわち、通知装置２は、ＳＩＭ１１の有効期限が失効することを抑制することができる。そのため、通知装置２は、例えば、ユーザが緊急通報センターからの電話を受けられなくなることを抑制することができる。
【００２２】
次に、実施形態に係る通知システム１について図２を参照し説明する。図２は、実施形態に係る通知システム１の概略構成を示す図である。
【００２３】
通知システム１は、テレマティックスサービスシステムである緊急通報システムである。通知システム１は、通知装置２と、端末装置３と、管理装置４とを備える。通知装置２、端末装置３、および管理装置４は、通信ネットワークＮによって接続され、通信ネットワークＮを介して通信可能である。通信ネットワークＮは、携帯電話網や、ＷＡＮ（Wide  Area  Network）や、インターネットなどの通信ネットワークである。
【００２４】
なお、通知装置２、および端末装置３は、Ｂｌｕｅｔｏｏｔｈ（登録商標）や、Ｗｉ−Ｆｉ（登録商標）などの近距離無線通信によって通信可能であってもよい。
【００２５】
次に、通知装置２について図３を参照し説明する。図３は、実施形態に係る通知装置２の概略構成を示す図である。
【００２６】
通知装置２は、車両故障や、車両事故が発生した場合に、通信ネットワークＮを介して緊急通報センター（不図示）と通話可能となる。なお、ここでは、緊急通報センター（不図示）との通信を実行する構成の一部や、機能の一部の説明については省略する。通知装置２は、通信部１０と、ＳＩＭ１１と、報知部１２と、記憶部１３と、制御部１４とを備える。
【００２７】
通信部１０は、端末装置３、および管理装置４と通信ネットワークＮ（図２参照）を介して通信を行う通信インターフェースである。
【００２８】
通信部１０は、ＳＩＭ１１の有効期限が有効な状態で緊急通報センター（不図示）との通信を行う場合には、ＳＩＭ１１に記憶されたユーザ情報を、通信ネットワークＮを介して緊急通報センターに送信する。通信部１０は、ＳＩＭ１１の有効期限が失効した状態で緊急通報センターとの通信を行う場合には、ＳＩＭ１１に記憶されたユーザ情報を、通信ネットワークＮを介して緊急通報センターに送信しない。
【００２９】
また、通信部１０は、ＳＩＭ１１の有効期限に関する情報を通知する通知信号を、通信ネットワークＮを介してユーザの端末装置３に送信する。また、通信部１０は、ＳＩＭ１１の有効期限を更新する更新信号を、通信ネットワークＮを介して管理装置４から受信する。
【００３０】
報知部１２は、ＳＩＭ１１の有効期間が予め設定された所定期間よりも短くなった場合に、ＳＩＭ１１の有効期間が短くなっていることを報知する。例えば、報知部１２は、ＬＥＤランプである。ＳＩＭ１１の有効期間が所定期間よりも短くなった場合に、ＬＥＤランプが点灯する。なお、報知部１２は、スピーカーであってもよく、ＳＩＭ１１の有効期間が短くなっていることは、音声通知によって報知されてもよい。
【００３１】
記憶部１３は、ＲＡＭ（Random  Access  Memory）、フラッシュメモリ（Flash  Memory）等の半導体メモリ素子、または、ハードディスク、光ディスク等の記憶装置によって実現される。
【００３２】
制御部１４は、コントローラ（Controller）であり、例えば、ＣＰＵやＭＰＵ（Micro  Processing  Unit）等によって、記憶部１３内部の記憶デバイスに記憶されている各種プログラムがＲＡＭを作業領域として実行されることにより実現される。
【００３３】
また、制御部１４は、たとえば、ＡＳＩＣ（Application  Specific  Integrated  Circuit）やＦＰＧＡ（Field  Programmable  Gate  Array）等の集積回路により実現することができる。
【００３４】
制御部１４は、取得部１４Ａと、判定部１４Ｂと、生成部１４Ｃと、指示部１４Ｄ（通知部）と、更新部１４Ｅとを備える。なお、取得部１４Ａと、判定部１４Ｂと、生成部１４Ｃと、指示部１４Ｄと、更新部１４Ｅは、統合されてもよく、複数に分割されてもよい。
【００３５】
取得部１４Ａは、ＳＩＭ１１から有効期限に関する情報を取得する。また、取得部１４Ａは、通信部１０を介して有効期限を更新する更新信号を取得する。
【００３６】
判定部１４Ｂは、取得されたＳＩＭ１１の有効期限が所定期間よりも短いか否かを判定する。生成部１４Ｃは、ＳＩＭ１１の有効期間が所定期間よりも短い場合に、通知信号を生成する。
【００３７】
指示部１４Ｄは、生成された通知信号を、通信部１０、および通信ネットワークＮを介してユーザの端末装置３に送信する。すなわち、指示部１４Ｄは、ＳＩＭ１１の有効期間が所定期間よりも短いことを示す情報をユーザの端末装置３に通知する。
【００３８】
更新部１４Ｅは、取得された更新信号に基づいて、ＳＩＭ１１の有効期限を更新する。なお、更新部１４Ｅ、および取得部１４Ａの一部は、通信部１０に設けられてもよい。この場合、通信部１０は、通信ネットワークＮを介して更新信号を受信すると、ＳＩＭ１１の有効期限を更新する。
【００３９】
次に端末装置３について図４を参照し説明する。図４は、実施形態に係る端末装置３の概略構成を示す図である。
【００４０】
端末装置３は、スマートフォンや、タブレット端末や、ＰＤＡ（Personal  Digital  Assistant）や、カーナビゲーション装置である。なお、端末装置３は、ラップトップＰＣ（Personal  Computer）や、デスクトップＰＣであってもよい。端末装置３は、通信部２０と、表示部２１と、記憶部２２と、制御部２３とを備える。
【００４１】
通信部２０は、通知装置２、および管理装置４と通信ネットワークＮ（図２参照）を介して通信を行う通信インターフェースである。
【００４２】
通信部２０は、通知装置２から通信ネットワークＮを介して通知信号を受信する。また、通信部２０は、通信ネットワークＮを介して、ＳＩＭ１１の有効期限を更新させる選択結果信号を管理装置４に送信する。
【００４３】
表示部２１は、例えば、有機ＥＬ（Electro-Luminescence）や、液晶ディスプレイで構成されたタッチパネルディスプレイである。表示部２１は、通知装置２から通知信号が送信された場合に、通知信号に基づいた有効期限画像、およびＳＩＭ更新選択画像を表示する。
【００４４】
有効期限画像は、ＳＩＭ１１の有効期限に関する画像である。ＳＩＭ更新選択画像は、ユーザにＳＩＭの有効期限を更新するか否かを選択させる画像である。すなわち、実施形態に係る通知信号は、有効期限画像、およびＳＩＭ更新選択画像を表示させる信号である。
【００４５】
記憶部２２は、ＲＡＭ、フラッシュメモリ等の半導体メモリ素子、または、ハードディスク、光ディスク等の記憶装置によって実現される。
【００４６】
制御部２３は、コントローラであり、例えば、ＣＰＵやＭＰＵ等によって、記憶部２２内部の記憶デバイスに記憶されている各種プログラムがＲＡＭを作業領域として実行されることにより実現される。また、制御部２３は、たとえば、ＡＳＩＣやＦＰＧＡ等の集積回路により実現することができる。
【００４７】
制御部２３は、取得部２３Ａと、判定部２３Ｂと、生成部２３Ｃ（更新指示信号生成部）と、指示部２３Ｄとを備える。なお、取得部２３Ａと、判定部２３Ｂと、生成部２３Ｃと、指示部２３Ｄとは、統合されてもよく、複数に分割されてもよい。
【００４８】
取得部２３Ａは、通信部２０を介して通知信号を取得する。また、取得部２３Ａは、通知信号に基づいて表示部２１に表示されたＳＩＭ更新選択画像に対するユーザの操作情報を取得する。
【００４９】
判定部２３Ｂは、ユーザによってＳＩＭ１１の有効期限の更新操作が行われたか否かを判定する。すなわち、判定部２３Ｂは、ユーザがＳＩＭ１１の有効期限の更新を希望しているか否かを判定する。
【００５０】
具体的には、判定部２３Ｂは、ＳＩＭ更新選択画像に対し、ＳＩＭ１１の有効期限を更新する内容に関する画像がユーザによってタッチされた場合には、ＳＩＭ１１の有効期限の更新操作が行われたと判定する。すなわち、判定部２３Ｂは、ユーザがＳＩＭ１１の有効期限の更新を希望していると判定する。
【００５１】
また、判定部２３Ｂは、ＳＩＭ更新選択画像に対し、ＳＩＭ１１の有効期限を更新しない内容に関する画像がユーザによってタッチされた場合には、ＳＩＭ１１の有効期限の更新操作が行われなかったと判定する。また、判定部２３Ｂは、ＳＩＭ更新選択画像に対し、ユーザの操作が予め設定された所定時間行われない場合には、ＳＩＭ１１の有効期限の更新操作が行われなかったと判定する。すなわち、判定部２３Ｂは、ユーザがＳＩＭ１１の更新を希望していないと判定する。
【００５２】
生成部２３Ｃは、ＳＩＭ更新選択画像に対するユーザの操作に応じた選択結果信号を生成する。具体的には、生成部２３Ｃは、ＳＩＭ１１の有効期限の更新操作が行われたと判定された場合には、ＳＩＭ１１の有効期限を更新させる選択結果信号（更新指示信号）を生成する。また、生成部２３Ｃは、ＳＩＭ１１の有効期限の更新操作が行われなかったと判定された場合には、ＳＩＭ１１の有効期限を更新させない選択結果信号（更新不指示信号）を生成する。このように、選択結果信号は、ＳＩＭ１１の有効期限を更新するか否かについて、ユーザの意思を示す信号である。
【００５３】
指示部２３Ｄは、生成部２３Ｃによって生成された選択結果信号を、通信部２０、および通信ネットワークＮを介して管理装置４に送信する。
【００５４】
ここで、端末装置３の表示部２１に表示される有効期限画像Ｉｍ１、およびＳＩＭ更新選択画像Ｉｍ２について、図５を参照し説明する。図５は、有効期限画像Ｉｍ１、およびＳＩＭ更新選択画像Ｉｍ２が表示された表示部２１の一例を示す図である。図５においては、端末装置３としてスマートフォンを示し、有効期限画像に符号「Ｉｍ１」を付し、ＳＩＭ更新選択画像に符号「Ｉｍ２」を付している。
【００５５】
端末装置３が通知信号を受信した場合には、通知信号に基づいた有効期限画像Ｉｍ１が表示部２１に表示される。表示部２１には、例えば、有効期限画像Ｉｍ１として「通知装置２のＳＩＭ１１の有効期限が○月××日に切れます。」と表示される。また、表示部２１には、例えば、有効期限画像Ｉｍ１の下方に、ＳＩＭ更新選択画像Ｉｍ２として「更新しますか？」、「更新する」、および「更新しない」と表示される。
【００５６】
そして、ユーザがＳＩＭ更新選択画像Ｉｍ２の「更新する」の画像をタッチすると、端末装置３は、ＳＩＭ１１の有効期限の更新操作が行われたと判定し、ＳＩＭ１１の有効期限を更新させる選択結果信号を生成する。
【００５７】
次に、管理装置４について図６を参照し説明する。図６は、実施形態に係る管理装置４の概略構成を示す図である。
【００５８】
管理装置４は、回線事業者や、通信事業者が管理する装置であり、通知装置２のＳＩＭ１１の有効期限を管理し、有効期限を更新する装置である。管理装置４は、通信部３０と、記憶部３１と、制御部３２とを備える。
【００５９】
通信部３０は、通知装置２、および端末装置３と通信ネットワークＮ（図２参照）を介して通信を行う通信インターフェースである。
【００６０】
通信部３０は、通信ネットワークＮを介して端末装置３から選択結果信号を受信する。また、通信部３０は、通信ネットワークＮを介して更新信号を通知装置２に送信する。
【００６１】
記憶部３１は、ＲＡＭ、フラッシュメモリ等の半導体メモリ素子、または、ハードディスク、光ディスク等の記憶装置によって実現される。なお、記憶部３１には、車両Ｃ（図１参照）に搭載された各通知装置２のＳＩＭ１１の有効期限が記憶されている。
【００６２】
制御部３２は、コントローラであり、例えば、ＣＰＵやＭＰＵ等によって、記憶部３１内部の記憶デバイスに記憶されている各種プログラムがＲＡＭを作業領域として実行されることにより実現される。また、制御部３２は、たとえば、ＡＳＩＣやＦＰＧＡ等の集積回路により実現することができる。
【００６３】
制御部３２は、取得部３２Ａと、判定部３２Ｂと、生成部３２Ｃと、指示部３２Ｄとを備える。なお、取得部３２Ａと、判定部３２Ｂと、生成部３２Ｃと、指示部３２Ｄとは、統合されてもよく、複数に分割されてもよい。
【００６４】
取得部３２Ａは、通信部３０を介して端末装置３から選択結果信号を取得する。判定部３２Ｂは、選択結果信号に基づいてＳＩＭ１１の有効期限を更新するか否かを判定する。具体的には、判定部３２Ｂは、選択結果信号が、ＳＩＭ１１の有効期限の更新操作が行われたこと示す信号である場合には、ＳＩＭ１１の有効期限を更新すると判定する。また、判定部３２Ｂは、選択結果信号が、ＳＩＭ１１の有効期限の更新操作が行われなかったことを示す信号である場合には、ＳＩＭ１１の有効期限を更新しないと判定する。
【００６５】
生成部３２Ｃは、選択結果信号に基づいて、ＳＩＭ１１の有効期限を更新する更新信号を生成する。具体的には、生成部３２Ｃは、選択結果信号が、ＳＩＭ１１の有効期限の更新操作が行われたことを示す信号である場合には、更新信号を生成する。また、生成部３２Ｃは、選択結果信号が、ＳＩＭ１１の有効期限の更新操作行われなかったことを示す信号である場合には、更新信号を生成しない。
【００６６】
指示部３２Ｄは、更新信号が生成された場合には、記憶部３１に記憶されている通知装置２のＳＩＭ１１の有効期限を、更新信号に基づいて更新する。また、指示部３２Ｄは、生成された更新信号を、通信部３０、および通信ネットワークＮを介して通知装置２に送信する。すなわち、指示部３２Ｄは、ＳＩＭ１１の有効期限を更新する更新信号を通知装置２に送信する。
【００６７】
このように、管理装置４は、記憶部３１に記憶されたＳＩＭ１１の有効期限を更新するとともに、更新信号を通知装置２に送信し、通知装置２のＳＩＭ１１の有効期限を更新する。
【００６８】
次に、実施形態に係る有効期限更新処理について図７を参照し説明する。図７は、実施形態に係る有効期限更新処理を説明するフローチャートである。
【００６９】
通知装置２は、ＳＩＭ１１の有効期間が所定期間よりも短いか否かを判定する（Ｓ１００）。通知装置２は、ＳＩＭ１１の有効期間が所定期間以上である場合には（Ｓ１００：Ｎｏ）、今回の処理を終了する。
【００７０】
通知装置２は、ＳＩＭ１１の有効期間が所定期間よりも短い場合には（Ｓ１００：Ｙｅｓ）、通知装置２は、通知信号を生成する（Ｓ１０１）。また、通知装置２は、ＳＩＭ１１の有効期間が所定期間よりも短いことを報知する（Ｓ１０２）。なお、ＳＩＭ１１の有効期間が所定期間よりも短いことの報知は、通知信号の生成よりも前に行われてもよく、同時であってもよい。
【００７１】
通知装置２は、通知信号を端末装置３に送信する（Ｓ１０３）。端末装置３は、通知信号に基づいて有効期限画像、およびＳＩＭ更新選択画像を表示する（Ｓ１０４）。
【００７２】
端末装置３は、ユーザによってＳＩＭ１１の有効期限の更新操作が行われたか否かを判定する（Ｓ１０５）。端末装置３は、ユーザによってＳＩＭ１１の有効期限の更新操作が行われた場合には（Ｓ１０５：Ｙｅｓ）、ＳＩＭ１１の有効期限を更新することを示す選択結果信号を生成する（Ｓ１０６）。
【００７３】
また、端末装置３は、ユーザによってＳＩＭ１１の有効期限の更新操作が行われなかった場合には（Ｓ１０５：Ｎｏ）、ＳＩＭ１１の有効期限を更新しないことを示す選択結果信号を生成する（Ｓ１０７）。
【００７４】
端末装置３は、生成した選択結果信号を管理装置４に送信する（Ｓ１０８）。
【００７５】
管理装置４は、選択結果信号に基づいてＳＩＭ１１の有効期限を更新するか否かを判定する（Ｓ１０９）。管理装置４は、ＳＩＭ１１の有効期限を更新しない場合には（Ｓ１０９：Ｎｏ）、今回の処理を終了する。
【００７６】
管理装置４は、ＳＩＭ１１の有効期限を更新する場合には（Ｓ１０９：Ｙｅｓ）、更新信号を生成する（Ｓ１１０）。管理装置４は、生成した更新信号を通知装置２に送信する（Ｓ１１１）。
【００７７】
通知装置２は、更新信号に基づいてＳＩＭ１１の有効期限を更新する（Ｓ１１２）。
【００７８】
通知装置２は、ＳＩＭ１１の有効期間が所定期間よりも短くなった場合に、通知信号を生成し、ユーザの端末装置３に送信する。
【００７９】
これにより、ユーザは、端末装置３に通知された通知信号に基づいて、ＳＩＭ１１の有効期限が失効することを知ることができ、有効期限が失効する前にＳＩＭ１１の有効期限を更新することができる。そのため、通知装置２においてＳＩＭ１１の有効期限が失効した状態となることを抑制することができる。従って、通知装置２は、緊急通報センターとの通信が必要となった場合に、緊急通報センターにユーザ情報が通知されなくなることを抑制することができ、ユーザが緊急通報センターからの電話を受けられなくなることを抑制することができる。
【００８０】
また、端末装置３は、通知信号に基づいて有効期限画像を表示する。これにより、ユーザは端末装置３によってＳＩＭ１１の有効期限が失効することを知ることができ、ＳＩＭ１１の有効期限が失効することを抑制することができる。
【００８１】
なお、本実施形態を用いない比較例では、ＳＩＭ１１の有効期限が切れた場合に、修理工場（例えば、ディーラー）などで通知装置２の修理が必要となる。この場合、車両Ｃを修理工場まで運ばなければならず、ユーザの負担が大きくなる。
【００８２】
これに対し、実施形態に係る通知システム１では、端末装置３は、ＳＩＭ１１の有効期限を更新可能なＳＩＭ更新選択画像を表示し、ユーザがＳＩＭ１１の有効期限の更新操作を行った場合に、ＳＩＭ１１の有効期限を更新させる選択結果信号を生成する。そして、選択結果信号が管理装置４に送信され、管理装置４によってＳＩＭ１１の有効期限が更新される。
【００８３】
これにより、ユーザは、端末装置３を操作することで、ＳＩＭ１１の有効期限を更新することができ、ＳＩＭ１１の有効期限を容易に更新することができる。そのため、ＳＩＭ１１の有効期限を更新する際のユーザの負担を低減することができる。
【００８４】
なお、通知装置２、端末装置３、および管理装置４は、上記する処理を実現するためのプログラムが記録されたコンピュータ読み取り可能な記録媒体を備えている。ＣＰＵは、記録媒体に記録されたプログラムを読み出すことで、上記する処理を実行することができる。コンピュータ読み取り可能な記録媒体は、上記したＲＯＭなどの半導体メモリや、磁気ディスクや、光磁気ディスクなどである。
【００８５】
変形例に係る通知システム１の通知装置２は、ＳＩＭ１１の有効期間が所定期間よりも短くなった後は、ＳＩＭ１１の有効期限が更新されるまで所定のタイミングで通知信号を端末装置３に送信してもよい。すなわち、通知装置２は、ＳＩＭ１１の有効期限が更新されない場合には、所定のタイミングで通知信号を端末装置３に送信する。所定のタイミングは、予め設定されたタイミングであり、例えば、所定の間隔や、通知装置２の電源がＯＮとされたタイミングである。
【００８６】
これにより、変形例に係る通知装置２は、ＳＩＭ１１の有効期限が失効することをユーザに繰り返し通知することができ、ＳＩＭ１１の有効期限が切れることを抑制することができる。
【００８７】
また、変形例に係る通知システム１の通知装置２は、ＬＥＤランプなどの報知部１２を有さない構成としてもよい。これにより、変形例に係る通知装置２は、コストを削減することができる。
【００８８】
さらなる効果や変形例は、当業者によって容易に導き出すことができる。このため、本発明のより広範な態様は、以上のように表しかつ記述した特定の詳細および代表的な実施形態に限定されるものではない。従って、添付の特許請求の範囲およびその均等物によって定義される総括的な発明の概念の精神または範囲から逸脱することなく、様々な変更が可能である。
【符号の説明】
【００８９】
１      通知システム
２      通知装置
３      端末装置
４      管理装置
１１    ＳＩＭ
１２    報知部
１４    制御部
１４Ｃ  生成部
１４Ｄ  指示部（通知部）
１４Ｅ  更新部
２１    表示部
２３    制御部
２３Ｃ  生成部（更新指示信号生成部）
２３Ｄ  指示部
３２    制御部
３２Ｃ  生成部
３２Ｄ  指示部
【図１】
2020170950.tif 000003
【図２】
2020170950.tif 000004
【図３】
2020170950.tif 000005
【図４】
2020170950.tif 000006
【図５】
2020170950.tif 000007
【図６】
2020170950.tif 000008
【図７】
2020170950.tif 000009